(57)【要約】【課題】聴診機能を損なうことなく、簡単な構造でかつ使いやすく、容易に蒸気の漏洩箇所を検出可能な機能を備える聴診棒を提供する。【解決手段】細長い棒状体２の一端を先細り形状とし、他端に耳当て部５を備え、該先細り形状部３を被検知部に当接し、該耳当て部５を耳に当て、被検知部の振動を音として検知する聴診棒であって、該先細り形状部３の近傍に温度によって色を変化させる示温材６を備える。この聴診棒１の先細り形状部３の近傍を蒸気漏洩箇所付近に導き、聴診棒１に備えられる示温材６の色の変化から、蒸気漏洩箇所を検出することができる。【選択図】図１
2007205895.tif 000002
【特許請求の範囲】
【請求項１】
細長い棒状体の一端を先細り形状とし、他端に耳当て部を備え、該先細り形状部を被検知部に当接し、該耳当て部を耳に当て、被検知部の振動を音として検知する聴診棒であって、
該先細り形状部の近傍に温度によって色を変化させる示温材を備えることを特徴とする聴診棒。
【請求項２】
前記示温材は、繰り返し使用が可能な可逆性の示温材であることを特徴とする請求項１に記載の聴診棒。
【請求項３】
請求項１又は２に記載の聴診棒の先細り形状部の近傍を蒸気漏洩箇所付近に導き、前記聴診棒に備えられる前記示温材の色の変化から、該蒸気漏洩箇所を検出することを特徴とする蒸気漏洩箇所検出方法。
【発明の詳細な説明】
【技術分野】
【０００１】
本発明は、回転体の軸受部の振動等を検知する際使用する聴診棒に関し、特に回転体の軸受部の振動等を検知する以外の機能も備える聴診棒に関する。
【背景技術】
【０００２】
発電所、化学工場などにおいては、多くの機器、装置、配管が有機的に結合され、所定の目的を達成すべく、昼夜連続運転が行われていることは周知の通りである。近年の発電所、化学工場等では計測機器、コンピュータの発達に伴い、運転も多くの部分で自動化が図られ、運転員、作業員の負荷が低減される傾向にある。
【０００３】
しかしながら各機器、装置等の点検、補修等は、現場の運転員、作業員に頼っている部分が多い。発電所、化学工場等では定期的に現場のパトロールを行い、機器、装置、配管等の点検を行っている。これにより異常が発見された場合は必要な処置、修理等を講じることで、安全にまたプラント全体を停止させることなく運転を継続させることが可能となる。
【０００４】
日常行われる現場のパトロールにおいて、現場から聞こえてくる音は非常に重要な意味を持っている。通常聞こえてこない音が聞こえる場合は、装置、機器、配管などに異常が発生している可能性もあり、運転員、作業員は、現場の音に気をつけてパトロールを行っている。空気圧縮器、蒸気タービン等の回転機器の回転部、軸受部の異常音は、音量が比較的小さいことが多いが、聴診棒を用いて聞くことができる。一般に聴診棒は、細無い金属性の棒であって一端を先細状の円錐状とし、他端に球形の耳当て部を有する。円錐状部を回転機器の軸受部に当接させ、他端の耳当て部を耳に当てて使用する。
【０００５】
回転機器に接触、又は軸受に磨耗などの異常が発生すると、軸受部にも接触などに伴う振動が伝達され、この振動を聴診棒を介して耳に伝達することで、音を聞くことができる。回転機器の接触の有無より音も大きく異なるため、この音を聞くことで回転機器の異状を検知することができる。このためパトロールを行う運転員にとって、聴診棒は必需品となっている。聴診棒はこのように単純な構造をなし、手軽に使用できる一方で、非常に小さな音は聞き取りにくい。これを解決する技術として、聴診棒の後端部にピックアップ用マイクロホンを接続し、マイクロホンの振動をアンプを介して増幅し、可聴音とするイヤホーンを具備する機器異状振動検査装置が開発されている（例えば特許文献１参照）。
【特許文献１】特開２０００−１８６９５７号公報
【発明の開示】
【発明が解決しようとする課題】
【０００６】
現場での異状音には、このほかにも配管が破損して蒸気が発生することに伴う異状音もある。高圧の蒸気が、高圧の蒸気配管に発生したピンホールから噴出している場合には、高周波の異状音が発生する。この音はパトロールで聞き取ることができるものの、音の発生箇所を特定することが難しい。また温度、乾き度も高い蒸気がピンホールから噴出しているような場合は、噴出後も白色の水蒸気とならないことから、目視で噴出（漏洩）箇所を特定することもできない。これらのことから簡単に高圧蒸気の漏洩箇所を検出することが可能な方法、装置の開発が待たれている。
【０００７】
高圧蒸気の漏洩箇所を検出することが可能な装置は、それ専用の装置であってもよいことはもちろんであるが、現場パトロールに持参する聴診棒にその機能を付加させることができれば、パトロールの際、高圧蒸気の漏洩箇所検出装置を持参することを忘れることがなく便利である。但し、聴診棒に高圧蒸気の漏洩箇所検出機能を設けるに当たり、本来の聴診機能を阻害したり、聴診棒の使用が不便になるようなものであってはならないことは当然である。
【０００８】
本発明の目的は、聴診機能を損なうことなく、簡単な構造でかつ使いやすく、容易に蒸気の漏洩箇所を検出可能な機能を備える聴診棒を提供することにある。
【課題を解決するための手段】
【０００９】
本発明は、細長い棒状体の一端を先細り形状とし、他端に耳当て部を備え、該先細り形状部を被検知部に当接し、該耳当て部を耳に当て、被検知部の振動を音として検知する聴診棒であって、
該先細り形状部の近傍に温度によって色を変化させる示温材を備えることを特徴とする聴診棒である。
【００１０】
また本発明で、前記示温材は、繰り返し使用が可能な可逆性の示温材であることを特徴とする請求項１に記載の聴診棒である。
【００１１】
また本発明は、請求項１又は２に記載の聴診棒の先細り形状部の近傍を蒸気漏洩箇所付近に導き、前記聴診棒に備えられる前記示温材の色の変化から、該蒸気漏洩箇所を検出することを特徴とする蒸気漏洩箇所検出方法である。
【発明の効果】
【００１２】
本発明の聴診棒は、細長い棒状体の一端を先細り形状とし、他端に耳当て部を備え、先細り形状部を被検知部に当接し、該耳当て部を耳に当て、被検知部の振動を音として検知する聴診棒であって、先細り形状部の近傍に温度によって色を変化させる示温材を備えるので、本来の機能である異常振動を検出できるほか、聴診棒の先細り形状部の近傍を蒸気漏洩箇所付近に近づけることで、聴診棒に備えられる示温材の色の変化から、蒸気漏洩箇所を検出することができる。このように聴診棒に示温材を取付けることで、聴診棒を蒸気の漏洩箇所検出装置として使用することができる。
【００１３】
聴診棒は細長い棒状体であり、先細り形状部の近傍に温度によって色を変化させる示温材を備えるので、聴診棒を使用する者は、蒸気漏洩箇所から離れた位置から聴診棒の先端部近傍のみを蒸気漏洩箇所付近に近づけることで、蒸気漏洩箇所を検出することができる。これにより安全に、また簡単に蒸気漏洩箇所を検出することができる。またこのように聴診棒の先細り形状部の近傍に、温度によって色を変化させる示温材を備えるので、現場パトロールの際、蒸気の漏洩箇所検出装置を別途持参することがなく便利である。
【００１４】
また本発明によれば、示温材は、繰り返し使用が可能な可逆性の示温材であるので、何度でも使用することができ便利である。また示温材にはサーモラベルなど市販の示温材を使用することができるので、入手が容易でかつ安価に入手することができる。
【発明を実施するための最良の形態】
【００１５】
図１は本発明の実施の一形態としての聴診棒１である。聴診棒１は、細長い棒状体２の一端３が先細り形状となっており、他端４には球形の耳当て部５が設けられている。また、先細り形状部近傍に、温度によって色を変化させる示温材６が固着されている。棒状体２は、銅合金、鉄、ステンレスなど金属製の材料からなる。棒状体の断面形状は、特に限定されないので、断面形状が円形又は矩形の中実材、パイプを使用することができるが、断面形状が円形の中実材が使いやすさの点から好ましい。
【００１６】
棒状体２の大きさも特に限定されないけれども、長さは３００〜８００ｍｍ程度の長さのものが好ましい。長さが３００ｍｍ以下では、先細り形状部３を被検知部、例えば異状振動発生部に当接し、耳当て部５を耳に当て、異状振動発生部の振動を音として検知するとき、短かすぎて聴診しにくい。特に異状振動発生部が奥まった場所にある場合には、聴診棒の先端が異状振動発生部に届かず、聴診することができない。さらに聴診棒１に固着された示温材を利用して、蒸気の漏洩箇所を検出する場合にあっては、聴診棒の長さが短すぎると漏洩している蒸気が身体にかかるため、好ましくない。
【００１７】
一方、長すぎると聴診の際、異状振動発生部に当接させた聴診棒１の先細り形状部３が安定せず、聴診しにくい。棒状体２の太さも特に限定されないけれども、容易に棒状体２が変形しない太さが必要であり、５〜１０ｍｍの太さのものが好ましい。
【００１８】
耳当て部５は、棒状体２を伝わる振動を耳に伝達しやすくするもので、外耳道よりも若干大きい球形状体が好ましい。これにより棒状体２を伝わる振動が鼓膜に伝達されやすくなる。形状は球形体に限定されないけれども、外耳道にフィットする形状であることが好ましい。
【００１９】
示温材６は、所定の温度に達したときに変色して表示する温度表示体である。示温体には種々のタイプものが開発され、市販されているが特に限定されものではない。温度を色の変化のみによって表示するタイプ、数字の浮き出しによって表示するタイプの何れであってもよい。示温材には、サーモラベル、サーモシート、サーモテープ、サーモワッペン、サーモペイント、ヒートシート、テンプシート、温度表示シートなどが例示される。また示温塗料を塗布してもよい。
【００２０】
示温材６には、温度が変化し変色した後は、温度が元の状態の戻っても色は元の状態に戻らない不可逆性タイプと、温度が変化し変色した後も温度が元の状態の戻ると色も元の状態に戻る可逆性タイプとがあるが、可逆性タイプのものが繰り返し使用できる点から好ましい。示温材６も測定可能な温度が決められており、用途に適した示温材を選択する必要がある。本発明では、この示温材を用いて蒸気漏洩箇所を検出するため、示温材は１００℃〜２００℃付近の温度で変色するタイプものが好ましい。例えば５０〜６０℃程度の低い温度で変色するタイプの示温材では、雰囲気温度で変色する可能性があり、２００℃以上の温度で変色するタイプの示温材では、漏洩蒸気が少量で外気で冷やされ温度を低下させているような場合にあっては、蒸気漏洩箇所を検出することができない。
【００２１】
示温材６を棒状体に固着する方法も特に限定されないので、サーモラベルなどは接着材で固着することができる。なお、示温材は、蒸気漏洩箇所の検出に使用されるので、接着剤も耐熱性を有するものであることが必要なことは言うまでもない。棒状体２への示温材６の取り付け位置も特に限定されないけれども、先細り部近傍に取り付けることが使いやさの点から好ましい。耳当て部５近傍に取り付けることもできるが、耳当て部５には球形体が取り付けられているので、先細り形状部３に比較して熱容量が大きく、一度温度が上昇すると冷めにくいので、先細り形状部３近傍に取り付けることが望ましい。
【００２２】
上記のような構成からなる聴診棒１は次の要領で使用することができる。聴診棒１を聴診器として使用する場合は、先細り形状部３を異状振動発生部に当接し、耳当て部５を耳に当て、異状振動発生部の振動を音として検知し、異状振動発生部の健全性を確認する。この聴診棒１を蒸気漏洩箇所の検出器として使用する場合は、蒸気漏洩箇所から離れた位置から聴診棒１の先端部近傍のみを蒸気漏洩箇所付近に近づける。このときの示温材６の色を確認し、示温材６の色から蒸気漏洩箇所を検出する。蒸気漏洩箇所に近いほど温度が高いため、場所を代えながら聴診棒１の先端部近傍を蒸気漏洩箇所と思われる場所に運び、示温材６の色の変化、又は色の変化速度から蒸気漏洩箇所を特定する。聴診棒は、細く熱容量も大きくないので、示温材６の応答性がよい。蒸気漏洩箇所から離れれば、直ぐに温度が低下するなど使いやすい。これにより安全に、また簡単に蒸気漏洩箇所を検出することができる。
【図面の簡単な説明】
【００２３】
【図１】本発明の実施の一形態としての聴診棒１の斜視図である。
【符号の説明】
【００２４】
１  聴診棒
２  棒状体
３  先細部
５  耳当て部
６  示温材
【図１】
2007205895.tif 000003